(57)【要約】【課題】複数個の単位平面表示素子を配置した画像の表示品質の優れた平面表示装置を得る。【解決手段】四辺形状の表示面を備えた単位平面表示素子の複数個を配置した平面表示装置において、全ての単位平面表示素子の外周部の直交する側面に位置する一組の外周基準部、もしくは外周部よりも内側に位置し直交する面と接触する一組の内側基準部は、いずれも同一の方向に配置されるとともに、外周基準部および内側基準部は、平面表示装置に設けた単位平面表示素子の架台に直交する位置に配置された架台側基準部と接触して位置決めされた平面表示装置およびその製造方法。【選択図】  図１
2004264323.tif 000002
【特許請求の範囲】
【請求項１】
四辺形状の表示面を備えた単位平面表示素子の複数個を配置した平面表示装置において、全ての単位平面表示素子の外周部の直交する側面に位置する一組の外周基準部、もしくは外周部よりも内側に位置し直交する面と接触する一組の内側基準部は、いずれも同一の方向に配置されるとともに、外周基準部および内側基準部は、平面表示装置に設けた単位平面表示素子の架台に直交する位置に配置された架台側基準部と接触して位置決めされたことを特徴とする平面表示装置。
【請求項２】
単位平面表示素子に設けた外周基準部、内側基準部は、それぞれ平面状基準部あるいは直交する直線と接触する点状基準部からなり、該平面状基準部は架台側基準部に設けた点状基準部、あるいは面状基準部と接触して位置決めされ、また点状基準部は、架台側基準部に設けた面状基準部と接して位置決めされたものであることを特徴とする請求項１記載の平面表示装置。
【請求項３】
架台側基準部に設けた点状基準部は、直交する二つの直線に点接触する三つの基準点から構成されたことを特徴とする請求項１記載の平面表示装置。
【請求項４】
平面表示装置の架台には、架台側基準部が、各単位平面表示素子毎に対応して設けられた請求項１ないし３のいずれかに記載の平面表示装置。
【請求項５】
単位平面表示素子の外周部よりも内側に位置し直交する面と接触する一組の内側基準部は、単位平面表示素子の表示面の反対側に取り付けられた保持板に形成されたものであることを特徴とする請求項１ないし４のいずれかに記載の平面表示装置。
【請求項６】
単位平面表示素子の外周部よりも内側に位置する一組の内側基準部は、直交する二つの直線に点接触する三つの基準点から構成されたことを特徴とする請求項５記載の平面表示装置。
【請求項７】
単位平面表示素子が、より小さな複数個の表示素子を一体化した表示素子集合体であって、表示素子集合体の外周部の直交する側面に位置する一組の外周基準部、もしくは外周部よりも内側に位置し直交する面と接触する一組の内側基準部を形成したものであることを特徴とする請求項１ないし３のいずれかに記載の平面表示装置。
【請求項８】
表示素子集合体の外周部よりも内側に位置し直交する面と接触する一組の内側基準部は表示素子集合体の表示面の反対側に取り付けられた保持板に形成されたものであることを特徴とする請求項６記載の平面表示装置。
【請求項９】
平面表示素子が、プラズマ表示装置、液晶表示装置、有機ＥＬ表示装置、無機ＥＬ表示装置、電界効果型表示装置のいずれかであることを特徴とする請求項１ないし８のいずれかに記載の平面表示装置。
【請求項１０】
四辺形状の表示面を備えた単位平面表示素子の複数個を配置した平面表示装置の製造方法において、全ての単位平面表示素子の外周部の直交する側面に位置する一組の外周基準部、もしくは外周部よりも内側に位置し直交する面と接触する一組の内側基準部は、いずれも同一の方向に配置し、外周基準部および内側基準部を、平面表示装置に設けた単位平面表示素子の架台に配置された直交する面と接触する架台側基準部と接して位置決めした後に固定したことを特徴とする平面表示装置の製造方法。
【請求項１１】
単位平面表示素子に設けた外周基準部、内側基準部は、それぞれ平面状基準部あるいは直交する直線と接触する点状基準部からなり、該平面状基準部は架台側基準部に設けた点状基準部、あるいは面状基準部と接触して位置決めされ、また点状基準部は、架台側基準部に設けた面状基準部と接して位置決めした後に固定したことを特徴とする請求項１０記載の平面表示装置の製造方法。
【請求項１２】
架台側基準部は、直交する二つの直線に点接触する三つの基準点から形成され、単位平面表示素子に設けた基準面に対して点接触により位置決めしたことを特徴とする請求項１０記載の平面表示装置の製造方法。
【請求項１３】
架台側基準部は先に形成した架台側基準部と隣接する架台側基準部の両者に接触する位置合わせ部を設けた位置合わせ治具によって位置合わせをして順次形成されたものであることを特徴とする請求項１０ないし１３のいずれかに記載の平面表示装置の製造方法。
【請求項１４】
単位平面表示素子の外周部よりも内側に位置する一組の内側基準部は、単位平面表示素子の表示面の反対側に取り付けられた保持板に形成されたものであることを特徴とする請求項１０ないし１３のいずれかに記載の平面表示装置の製造方法。
【請求項１５】
単位平面表示素子の外周部よりも内側に位置し直交する面と接触する一組の内側基準部を、直交する二つの直線に点接触する三つの基準点として架台側の基準部に位置あわせをしたことを特徴とする請求項１４記載の平面表示装置の製造方法。
【請求項１６】
単位平面表示素子の表示面を保持板取り付け治具に載置し、単位平面表示素子の外周部の直交する側面を、保持板取り付け治具の直交する基準部に位置合わせをした後に、単位平面表示素子を治具面に減圧吸着手段によって吸着固定した後に、保持板取り付け治具に、直交する一組の基準部を設けた保持板基準治具を装着した状態で、保持板を保持板基準治具によって位置あわせを行って単位平面表示素子を取り付けるたことを特徴とする請求項１４または１５記載の平面表示装置の製造方法。
【請求項１７】
単位平面表示素子が、より小さな複数個の表示素子を一体化した表示素子集合体であり、表示素子集合体の外周部の直交する側面に位置する一組の外周基準部、もしくは外周部よりも内側に位置し直交する面と接触する一組の内側基準部を形成した各基準部によって位置あわせを行ったものであることを特徴とする請求項１０ないし１６のいずれかに記載の平面表示装置の製造方法。
【請求項１８】
表示素子集合体の外周部よりも内側に位置し直交する面と接触する一組の内側基準部は、表示素子集合体の表示面の反対側に取り付けられた保持板に形成し、架台側の基準部と位置あわせを行ったものであることを特徴とする請求項１６記載の平面表示装置の製造方法。
【請求項１９】
表示素子集合体が、直交する二つの面に対して接触する基準部を規定の大きさに設けた四辺形状の板状体から形成された疑似平面表示素子の基準点を設けていない側面を、表示素子集合体形成治具の直交する基準部に接して配置した後に、疑似平面表示素子の基準部を先に配置した疑似平面表示素子と同一の方向に向けて、先に配置した疑似平面表示素子に接して順次配置して減圧により吸着固定し、最後の１個の単位平面表示素子の配置場所を残してすべての疑似平面表示素子を取り付けた後に、最後の１個の単位平面表示素子の配置場所に先に配置した疑似単位平面表示素子の基準部と位置あわせをして減圧によって吸着して固定した後に、順次、疑似単位平面表示素子を取り外して、単位平面表示素子を基準部によって位置決めを行う操作を繰り返して、すべての疑似単位表示素子を単位平面表示素子に交換した後に、単位平面表示素子の表示面の反対側に、保持板を載置してすべての単位平面表示素子を保持板に一体に固定したことを特徴とする請求項１８記載の平面型表示装置の製造方法。
【請求項２０】
表示素子集合体形成治具の基準部に装着した、保持板取り付け治具の直交する基準部に保持板を位置合わせをした後に、各単位平面表示素子を保持板に取り付けたことを特徴とする請求項１８または１９記載の平面表示装置の製造方法。
【発明の詳細な説明】
【０００１】
【発明の属する技術分野】
本発明は、単位平面表示素子をの複数個を配置して大画面を実現する大型の平面表示装置に関するものであり、特に、複数の平面表示素子をタイル状に配列して大画面を形成した大型の平面表示装置に関するものである。
【０００２】
【従来の技術】
テレビ、コンピュータなどの画像を表示する手段としてＣＲＴに代えて、液晶表示装置、プラズマ表示装置、電界放射型表示装置、エレクトロルミネッセンス表示装置等の平面型表示装置が提案されている。
これらは、ＣＲＴに比べて、薄型で質量が小さく、消費電力量も小さいと言う特徴を有しており、今後も益々利用が進むものとみられる。
これらの平面表示装置は表示画面の大型化が進められているが、表示画面の大型化には大面積の部材とそれを取り扱うことが可能な大型の製造装置を必要とするので、平面画像表示装置の大型化には限界があった。
【０００３】
そこで、複数個の単位平面型画像表示装置を配置し、それぞれの単位平面画像表示装置に、画像の分割した電気信号を送出し、全体として大型の画像の表示が可能な大型の平面表示装置が提案されている。単位平面表示装置を多数配置した大型の表示装置としては、ＣＲＴを用いたもの等が既に用いられているが、各単位表示装置の間には、画像が表示されない領域が生じ、不自然な画像となり表示特性を低下させるという問題点があり、また厚みも大きなものであった。
液晶表示装置、プラズマ表示装置、電界放射型表示装置、エレクトロルミネッセンス表示装置等の平面表示装置は、ＣＲＴに比べて周囲の非表示領域の大きさを小さくすることができるという特徴を有している。
【０００４】
ところが、多数の平面表示装置を配置して大画面を実現する場合には、隣合う単位平面表示装置の境界部分での画像のずれが生じると、不自然な画像となるので、各単位平面表示素子を配列する際にずれが生じないようにし、隣接する単位平面表示素子の境界部分での画像のずれを最小限とするために、それぞれの単位平面表示素子を配列する際に調整をすることが必要であった。
【０００５】
そこで、平面表示装置の各単位表示装置の配列において、周囲を枠で囲まれた平板と、この平板の板面から上方において平面表示素子の厚さ以下の高さに張られたピアノ線と、ピアノ線の端部をこの枠に沿って変位させる変位手段とを備えた配列手段を用いた位置の調整装置が提案されている（例えば、特許文献１）。
ところが、この方法では展張されたピアノ線の太さによって各単位表示装置の間隔が制限を受けるとともに、ピアノ線と端面との線状の接触による位置決めであるために、位置決め工程が複雑なものであった。
【０００６】
【特許文献１】
特開２００１−２２３０２号公報
【０００７】
【発明が解決しようとする課題】
本発明は、複数個の単位平面表示素子を配列した大型の平面表示装置において、隣接する各単位平面表示素子間に画像のずれを生じさせることなく、正確な品質が優れた画像の形成が可能な平面表示装置を提供することを課題とするものである。
【０００８】
【課題を解決するための手段】
本発明の課題は、四辺形状の表示面を備えた単位平面表示素子の複数個を配置した平面表示装置において、全ての単位平面表示素子の外周部の直交する側面に位置する一組の外周基準部、もしくは外周部よりも内側に位置し直交する面と接触する一組の内側基準部は、いずれも同一の方向に配置されるとともに、外周基準部および内側基準部は、平面表示装置に設けた単位平面表示素子の架台に直交する位置に配置された架台側基準部と接触して位置決めされた平面表示装置によって解決することができる。
このように、すべての単位平面表示素子に設けた基準部を同一の方向に配置するとともに、平面表示装置の架台上に各単位平面表示素子毎に、設けた基準部に位置あわせをして固定したので、表示品質の優れた平面表示装置を得ることができる。
【０００９】
また、単位平面表示素子に設けた外周基準部、内側基準部は、それぞれ平面状基準部あるいは直交する直線と接触する点状基準部からなり、該平面状基準部は架台側基準部に設けた点状基準部、あるいは面状基準部と接触して位置決めされ、また点状基準部は、架台側基準部に設けた面状基準部と接して位置決めされた前記の平面表示装置である。
架台側基準部に設けた点状基準部は、直交する二つの直線に点接触する三つの基準点から構成された平面表示装置である。
【００１０】
このように、架台側基準部に設けた点状基準部と直交する直線に点接触する三点で位置あわせすることによって高精度の位置決めが可能となる。
また、平面表示装置の架台には、架台側基準部が、各単位平面表示素子毎に対応して設けられた前記の平面表示装置である。
単位平面表示素子の外周部よりも内側に位置し直交する面と接触する一組の内側基準部は、単位平面表示素子の表示面の反対側に取り付けられた保持板に形成されたものである前記の平面表示装置である。
このように、表示面と反対側に設けた保持板に形成した基準部によって位置決めすることによって、単位平面表示素子間の間隔を任意に調整することが容易となる。
また、単位平面表示素子の外周部よりも内側に位置する一組の内側基準部は、直交する二つの直線に点接触する三つの基準点から構成された前記の平面表示装置である。
【００１１】
また、単位平面表示素子が、より小さな複数個の表示素子を一体化した表示素子集合体であって、表示素子集合体の外周部の直交する側面に位置する一組の外周基準部、もしくは外周部よりも内側に位置し直交する面と接触する一組の内側基準部を形成したものである前記の平面表示装置である。
このように、より小さな単位平面表示素子を一体化した平面表示素子集合体を用いることによって、架台上への装着工程を減少することが可能となるので、大型の平面表示装置の組立において特に効果を発揮する。
【００１２】
また、表示素子集合体の外周部よりも内側に位置し直交する面と接触する一組の内側基準部は表示素子集合体の表示面の反対側に取り付けられた保持板に形成された前記の平面表示装置である。
平面表示素子が、プラズマ表示装置、液晶表示装置、有機ＥＬ表示装置、無機ＥＬ表示装置、電界効果型表示装置のいずれかである前記の平面表示装置である。
【００１３】
また、四辺形状の表示面を備えた単位平面表示素子の複数個を配置した平面表示装置の製造方法において、全ての単位平面表示素子の外周部の直交する側面に位置する一組の外周基準部、もしくは外周部よりも内側に位置し直交する面と接触する一組の内側基準部は、いずれも同一の方向に配置し、外周基準部および内側基準部を、平面表示装置に設けた単位平面表示素子の架台に配置された直交する面と接触する架台側基準部と接して位置決めした後に固定する平面表示装置の製造方法である。
単位平面表示素子に設けた外周基準部、内側基準部は、それぞれ平面状基準部あるいは直交する直線と接触する点状基準部からなり、該平面状基準部は架台側基準部に設けた点状基準部、あるいは面状基準部と接触して位置決めされ、また点状基準部は、架台側基準部に設けた面状基準部と接して位置決めした後に固定した前記の平面表示装置の製造方法である。
【００１４】
架台側基準部は、直交する二つの直線に点接触する三つの基準点から形成され、単位平面表示素子に設けた基準面に対して点接触により位置決めした前記の平面表示装置の製造方法である。
架台側基準部は先に形成した架台側基準部と隣接する架台側基準部の両者に接触する位置合わせ部を設けた位置合わせ治具によって位置合わせをして順次形成されたものである前記の平面表示装置の製造方法である。
【００１５】
単位平面表示素子の外周部よりも内側に位置する一組の内側基準部は、単位平面表示素子の表示面の反対側に取り付けられた保持板に形成されたものである前記の平面表示装置の製造方法である。
単位平面表示素子の外周部よりも内側に位置し直交する面と接触する一組の内側基準部を、直交する二つの直線に点接触する三つの基準点として架台側の基準部に位置あわせをした前記の平面表示装置の製造方法である。
【００１６】
単位平面表示素子の表示面を保持板取り付け治具に載置し、単位平面表示素子の外周部の直交する側面を、保持板取り付け治具の直交する基準部に位置合わせをした後に、単位平面表示素子を治具面に減圧吸着手段によって吸着固定した後に、保持板取り付け治具に、直交する一組の基準部を設けた保持板基準治具を装着した状態で、保持板を保持板基準治具によって位置あわせを行って単位平面表示素子を取り付けた前記の平面表示装置の製造方法である。
単位平面表示素子が、より小さな複数個の表示素子を一体化した表示素子集合体であり、表示素子集合体の外周部の直交する側面に位置する一組の外周基準部、もしくは外周部よりも内側に位置し直交する面と接触する一組の内側基準部を形成した各基準部によって位置あわせを行ったものである前記の平面表示装置の製造方法である。
【００１７】
表示素子集合体の外周部よりも内側に位置し直交する面と接触する一組の内側基準部は、表示素子集合体の表示面の反対側に取り付けられた保持板に形成し、架台側の基準部と位置あわせを行ったものである前記の平面表示装置の製造方法である。
【００１８】
また、表示素子集合体が、直交する二つの面に対して接触する基準部を規定の大きさに設けた四辺形状の板状体から形成された疑似平面表示素子の基準点を設けていない側面を、表示素子集合体形成治具の直交する基準部に接して配置した後に、疑似平面表示素子の基準部を先に配置した疑似平面表示素子と同一の方向に向けて、先に配置した疑似平面表示素子に接して順次配置して減圧により吸着固定し、最後の１個の単位平面表示素子の配置場所を残してすべての疑似平面表示素子を取り付けた後に、最後の１個の単位平面表示素子の配置場所に先に配置した疑似単位平面表示素子の基準部と位置あわせをして減圧によって吸着して固定した後に、順次、疑似単位平面表示素子を取り外して、単位平面表示素子を基準部によって位置決めを行う操作を繰り返して、すべての疑似単位表示素子を単位平面表示素子に交換した後に、単位平面表示素子の表示面の反対側に、保持板を載置してすべての単位平面表示素子を保持板に一体に固定した前記の平面表示装置の製造方法である。
このように、疑似平面表示素子を使用することによって、各単位平面表示素子に形成した直交する二面を基準面を同一の方向には位置した高精度の位置決めが可能となるので、各単位平面表示素子間が高精度に位置決めされた表示素子集合体からなる平面表示装置を得ることができる。
【００１９】
表示素子集合体形成治具の基準部に装着した、保持板取り付け治具の直交する基準部に保持板を位置合わせをした後に、各単位平面表示素子を保持板に取り付けるた前記の平面表示装置の製造方法である。
【００２０】
【発明の実施の形態】
本発明は、複数の単位平面表示素子を配列した平面型表示装置において、各単位平面表示素子を、隣接する表示素子の端面を基準とするのではなく、平面表示装置に設けた単位平面表示素子の架台に、各単位平面表示素子毎に配置された直交する面に接触する架台側基準部を設けて、架台側基準部と単位平面表示素子に設けた、直交する面に接触する基準部とを接触させて位置決めしたので、各単位平面表示素子間の間隔を基準にして各単位平面表示素子を取り付ける方法に比べて高精度で、しかも簡単に各単位平面表示素子を配置することが可能であることを見出したものである。
【００２１】
以下に図面を参照して本発明を説明する。
図１は、本発明の平面表示装置の一実施例を説明する図である。
図１（Ａ）は、表示面側から見た平面図を示し、図１（Ｂ）は、一部の単位平面表示素子の斜視図である。
本発明の平面表示装置１は、複数個の単位表示素子２が取り付けられており、図１に示す例では、２０個の単位表示素子２−１ないし２−２０が取り付けられている。
各単位表示素子２は、平面表示装置１の単位表示素子２の架台３に、各単位表示素子毎に、架台側基準部４が設けられており、架台側基準部４は、直交する面に接する基準面を形成した架台側基準面４ａ，４ｂから構成されている。
【００２２】
架台側基準面４ａおよび４ｂに対して、単位平面表示素子の直交する外周の二面に形成された外周基準部５を構成する外周基準面５ａ、５ｂと面接触によって接触して位置決めされている。
また、各単位平面表示素子２の外周の直交する面に設けた外周基準面５ａ、５ｂは、いずれも同一の方向に配置され、各単位平面平面表示素子毎に設けた直交する面に接触する架台側基準面４ａ、４ｂと位置決めされる。
その結果、各単位平面表示素子２は、直交する基準面を高精度に作製することによって、その他の側面に寸法のずれがあった場合にも、それに影響されることなく、外周側基準面を、各単位平面表示素子毎に設けた二つの直交する架台側の基準面によって位置決めすることができる。
【００２３】
図１に示した例では、各部材の位置関係をわかりやすくするために、単位平面表示素子間の間隔を大きく図示しているが、本発明の平面表示装置においては、各単位平面表示素子毎に基準部を設けて、各基準部を架台側基準部と接触させて位置決めしたので、各単位平面表示素子の位置決めを高精度に行うことが可能となる。
【００２４】
したがって、表示画素間隔が小さな高精細度表示用の単位表示素子であっても、単位表示素子間の間隔を小さく配置することができるので高品質の画像を表示することが可能となる。
架台側基準部４は、直線性の優れた部材上に一体に形成したものでも、あるいは個別に架台側に取り付けたものであっても良いが、それぞれの位置が画像の表示特性を左右するので、薄く精度の高い配置とすることが必要である。
【００２５】
図２は、本発明の平面表示装置の他の実施例を説明する図である。
図２（Ａ）は、表示面側から見た平面図を示し、図２（Ｂ）は、一部の単位平面表示素子の斜視図である。
本発明の平面表示装置１は、複数個の単位表示素子２が取り付けられており、図２に示す例では、２０個の単位表示素子２−１ないし２−２０が取り付けられている。
各単位表示素子２は、平面表示装置１の単位表示素子２の架台３に、各単位表示素子毎に、架台側基準部４が設けられており、架台側基準部は、直交する直線に点接触する架台側基準点４ｘ，４ｙ，４ｚから構成されている。
【００２６】
架台側基準点４ｘ，４ｙ，４ｚに対して、単位平面表示素子の直交する外周の二面に形成された外周基準部５を構成する外周基準面５ａ、５ｂと三点の点接触によって接触して位置決めされている。
また、各単位平面表示素子２の外周の直交する面に設けた外周基準面５ａ、５ｂは、いずれも同一の方向に配置され、各単位平面平面表示素子毎に設けた直交する面に接触する架台側基準点４ｘ，４ｙ，４ｚと三点で位置決めされる。
その結果、各単位平面表示素子２は、直交する基準面を高精度に作製することによって、架台側基準点４ｘ，４ｙ，４ｚと三点で位置決めされるので、その他の側面に寸法のずれがあった場合にも、それに影響されることなく、外周側基準面を、各単位平面表示素子毎に設けた二つの直交する架台側の三つの基準点と点接触して高精度に位置決めすることができる。
【００２７】
図３は、本発明の平面表示装置の他の実施例を説明する図である。
図３（Ａ）は、平面表示装置を、表示面と反対側から見た平面図であり、図３（Ｂ）は、一個の単位平面表示素子の配置を説明する図である。
図３（Ａ）に示すように、複数個の単位表示素子２が取り付けられており、図３に示す例では、２５個の単位表示素子２−１ないし２−２５が取り付けられている。
各単位平面表示素子２には、各単位平面表示素子に取り付けた保持板６の外周面の直交する二面に、内側基準部７が形成されている。
平面表示装置１の単位表示素子２の架台３に、各単位表示素子２毎に、架台側基準部４が設けられており、架台側基準部４は、直交する面に接する基準面を形成した架台側基準面４ａ，４ｂから構成されている。
【００２８】
そして、各架台側基準面４ａ，４ｂに対して、単位平面表示素子２の外周部の内側に位置する保持板６の外周面の直交する二面が接触して位置決めされる。
単位平面表示素子の外周部よりも内側に設けた内側基準部によって位置決めを行ったので、単位平面表示素子の外周部を基準部に接触する場合のように、基準部の存在によって影響を受けることはなく、より小さな間隔での配置も可能であり、各単位平面表示素子間の間隔を任意に設定することができる。
【００２９】
また、各単位平面表示素子２の内側基準部７は、架台側基準部４に設けた架台側基準面４ａおよび４ｂに対して、いずれも同一の方向に向けて配置されているので、基準面以外の側面に寸法のずれがあった場合にも、それに影響されることはない高精度に位置決めすることができる。
【００３０】
また、各単位平面表示素子の背面に取り付けた保持板６、あるいは保持板６と単位平面表示素子２との間の空間には、各単位平面表示素子の制御、駆動を行う回路部品等を装着しても良い。
【００３１】
図４は、本発明の平面表示装置の他の実施例を説明する図である。
図４（Ａ）は、平面表示装置を、表示面と反対側から見た平面図であり、図４（Ｂ）は、一個の単位平面表示素子の配置を説明する図である。
図４（Ａ）に示すように、複数個の単位表示素子２が取り付けられており、図４に示す例では、２５個の単位表示素子２−１ないし２−２５が取り付けられている。
各単位平面表示素子２には、各単位平面表示素子に取り付けた保持板６の外周面の直交する二面に、内側基準部７が形成されており、内側基準部７には、直交する２本の直線に点接触する３個の内側基準点７ｘ、７ｙおよび７ｚが設けられている。
【００３２】
平面表示装置１の単位表示素子２の架台３に、各単位表示素子毎に、架台側基準部４が設けられており、架台側基準部４は、直交する面に接する基準面を形成した架台側基準面４ａ，４ｂから構成されている。
そして、各架台側基準面４ａ，４ｂに対して、単位平面表示素子２の内側基準点が三点で点接触して位置決めされる。
また、各単位平面表示素子２の内側基準部７は、架台側基準部４に設けた架台側基準面４ａおよび４ｂに対して、いずれも同一の方向に向けて配置されているので、基準面以外の側面に寸法のずれがあった場合にも、それに影響されることはない高精度に位置決めすることができる。
【００３３】
図４に示した平面表示装置では、三点によって位置あわせを行うので、図３に示した面接触による方法に比べて、より高精度の位置決めが可能となる。
また、単位平面表示素子の外周部よりも内側に設けた内側基準部によって位置決めを行ったので、単位平面表示素子の外周部を基準部に接触する場合のように、基準部の存在によって影響を受けることはなく、より小さな間隔での配置も可能であり、各単位平面表示素子間の間隔を任意に設定することができる。
【００３４】
また、各単位平面表示素子の背面に取り付けた保持板６、あるいは保持板６と単位平面表示素子２との間の空間には、各単位平面表示素子の制御、駆動を行う回路部品等を装着しても良い。
【００３５】
以上の説明では、内側基準部を三個の基準点によって構成し、架台側基準部に設けた基準面と位置決めする場合について述べたが、内側基準部を面状の基準部とし、架台側基準部に直交する直線に三点で点接触する三個の基準点によって構成した場合も同様の高精度の位置決めが可能となる。
【００３６】
図５は、架台側基準部の位置決めに用いる位置決め手段を説明する図である。
図５に斜視図を示す位置決め手段１１は、隣接する単位平面表示素子の基準点の位置決めを行うために使用する治具の一例である。
位置決め手段１１の直交する外側の基準面１２ａ、１２ｂは三つの基準点４ａ−１、４ｂ−１および４ｃ−１と点接触させて各基準点を位置決めすることができる。外側基準面１２ａは、上部に隣接する単位平面表示素子用の架台側基準点４ａ−２の位置決めに使用される。
【００３７】
また、位置決め手段１１の内側に設けた内側基準面１３ａには、上部に配置される隣接する単位表示素子用の基準点４ｂ−２、４ｃ−２の位置決めに使用される。更に、内側基準面１３ｂには、横方向に隣接して配置される単位表示素子用の基準点４ａ−３が形成されており、内側基準面１４ｂには右上に配置される単位表示素子用の基準点４ａ−４の位置決めに使用される。
このような、位置決め手段を用いることによって、各単位表示素子毎に位置決め用の基準点を高精度に順次配置することが可能となる。
【００３８】
図６は、本発明の平面表示装置の他の実施例を説明する図である。
図６に示す平面表示装置１は、４個の単位平面表示素子２ａ，２ｂ，２ｃ，２ｄを一体化した表示素子集合体２Ｕを、平面表示装置の架台側の基準部４に設けた架台側基準点４ｘ，４ｙ，４ｚに対して位置決めして装着したものである。
一体化した表示素子集合体２Ｕの直交する外周の二面に形成された外周基準部５を構成する外周基準面５ａ、５ｂは、架台側基準点と三点の点接触によって接触して位置決めされている。なお、図では、一体化した表示素子集合体２Ｕの間隔が大きく図示されているが、これは配置の様子をわかりやすく示したものであって、各単位平面表示素子間に表示のむら等が生じないような間隔に配置される。
このような方法によって、大型の表示画面を有する平面表示装置の現場での組立作業時間を短縮するとともにその作業を簡単なものとすることができる。
【００３９】
また、図６に示したものは、一体化した表示素子集合体２Ｕの外周面を架台側基準点と点接触して位置決めする場合について説明をしたが、架台側に基準面を設けて、面接触によって位置決めを行うものであっても良い。
【００４０】
図７は、本発明の平面表示装置の他の実施例を説明する図である。
図７に示す平面表示装置１は、表示面と反対側から見た図であり、４個の単位平面表示素子２ａ，２ｂ，２ｃ，２ｄを一体化した表示素子集合体２Ｕには、各単位平面表示素子２ａ，２ｂ，２ｃ，２ｄを結合する表示素子集合体保持板６Ｕが設けられている。
【００４１】
そして、表示素子集合体保持板６Ｕの外周面の直交する二面に、内側基準部７が形成されており、内側基準部７には、直交する平面と接触する内側基準面７ａ、７ｂが設けられている。
平面表示装置１の架台３には、一体化した表示素子集合体２Ｕ毎に、架台側基準部４が設けられており、架台側基準部は、直交する直線に点接触する架台側基準点４ｘ，４ｙ，４ｚから構成されている。
【００４２】
架台側基準点４ｘ，４ｙ，４ｚに対して、一体化した表示素子集合体の直交する外周の二面に形成された内側基準部７を構成する内側基準面７ａ、７ｂが三点の点接触によって接触して位置決めされている。
内側基準部７は、いずれも同一の方向に向けて配置されているので、内側基準部以外の部分に側面に寸法のずれがあった場合にも、それに影響されることはない高精度に位置決めすることができる。
【００４３】
また、図７に示したものは、一体化した表示素子集合体２Ｕの保持板の外周面に設けた内側基準面を架台側基準点と点接触して位置決めする場合について説明をしたが、架台側に設けた基準面に対して内側基準部に設けた内側基準点を点接触して位置決めを行うものであっても良い。
あるいは、一体化した表示素子集合体２Ｕの保持板の外周面の直交する面に設けた基準面を、架台側の基準面と面接触して位置決めを行うこともできる。
このような方法によって、大型の表示画面を有する平面表示装置の現場での組立作業時間を短縮するとともにその作業を簡単なものとすることができる。
【００４４】
本発明の平面表示装置を構成する単位平面表示素子、あるいは一体化した表示素子集合体において、保持板を装着する方法について説明をする。
単位平面表示素子の外周面を基準部とする場合には、単位平面表示素子と保持板との位置関係のずれは問題とはならないが、保持板を内側基準部として使用する場合には、それぞれの単位平面表示素子において、保持板に形成した内側基準部と単位平面表示素子との位置関係を高精度に一致させることが不可欠である。
【００４５】
図８は、単位平面表示素子への保持板の取り付け方法の一例を説明する図である。
図８（Ａ）に示すように、保持板取り付け治具２０には、直交する二面からなる基準部２１には、直交する二本の直線に点接触する三つの基準点２１ａ，２１ｂおよび２１ｃが設けられており、単位平面表示素子２の表示面を載置する領域には、単位平面表示素子を減圧によって吸着保持する吸引口２２を有しており、吸着、脱着するために開閉弁２３が設けられており、減圧装置（図示せず）と結合した接続管路２４が接続されている。
単位平面表示素子２の表示面とは反対側の面には、ねじ穴を設けた金属製の結合部材８が接合されている。また、単位平面表示素子２の外周には、直交する二面からなる外周基準面５ａ、５ｂが高精度に形成されている。
【００４６】
図８（Ｂ）に示すように、単位平面表示素子２の外周部基準面５ａ，５ｂを、保持板取り付け治具２０の直交する二面からなる基準部２１に設けた直交する二本の直線に点接触する三つの基準点２１ａ，２１ｂおよび２１ｃに点接触させた状態で、開閉弁２３を作動させて単位平面表示素子２を吸着して固定する。
【００４７】
次いで、図８（Ｃ）に示すように、図８（Ｄ）に断面を示す保持板取り付け治具２０の直交する一組の基準部２１に保持板基準治具２５を装着する。
保持板６を保持板基準治具２５に形成した直交する二面からなる基準部２６により位置あわせを行って単位平面表示素子２に設けた結合部材８に保持板６を取り付けた後に開閉弁２３を切り替えて取り外すことによって、単位平面表示素子２の外周の直交する二面と位置あわせを行った内側基準部として機能する保持板６を有する単位平面表示素子を得ることができる。
【００４８】
図８における説明では、保持板２１として、基準面を設けたものについて説明したが、保持板に基準点を設けたものであっても同様に取り付けることができる
。
【００４９】
図９は、複数個の単位平面表示素子が一体化された表示素子集合体の製造方法の一例を説明する図である。
図９（Ａ）は、平面図であり、４個の単位平面表示素子が一体化された平面表示素子集合体を作製するために使用する表示素子集合体作製治具を説明する図である。
表示素子集合体作製治具３０には、４個所の単位平面表示素子の載置位置３１−１ないし３１−４が設けられており、各載置位置には、気体を吸引して載置位置に吸着固定する吸引口３２−１ないし３２−４が設けられている。
各吸引口は、それぞれ独立して圧力が調整可能であり、それぞれ圧力調整手段への接続管路３３−１ないし３３−４が結合されている。
また、それぞれの接続管路には、開閉弁２３ａ，２３ｂ，２３ｃ，２３ｄが接続されており、吸引口３２−１ないし３２−４による着脱を可能としている。
【００５０】
また、表示素子集合体作製治具３０の枠体の内側の面は、隣接する面が高精度に直交する基準部３４−１ないし３４−４を形成している。また、基準部３４−１には、基準点３５ａ，３５ｂ，３５ｃ，３５ｄが形成されおり、基準部３４−２には、基準点３６ａ，３６ｂが形成されている。
そして、基準点３５ａ，３５ｂ，３５ｃ，３５ｄと基準点３６ａ，３６ｂは、それぞれ直交する直線と点接触する位置と大きさに形成されている。
【００５１】
図９（Ｂ）は、表示素子集合体作製治具３０に、位置決め用に配置される疑似平面表示素子３７を説明する図であり、図９（Ｃ）は、単位平面表示素子２を説明する図である。
疑似平面表示素子３７は、直交する側面からなる基準面３８ａ、３８ｂを有しており、他の直交する２個の側面には、直交する直線上に位置する三つの基準点３９ａ、３９ｂ、および３９ｃを形成している。
また、単位平面表示素子２の表示面とは反対側の面には、ねじ穴を設けた金属製の結合部材８が接合されており、結合部材には保持板を結合して表示素子集合体が一体に形成される。
【００５２】
図１０は、本発明の平面表示装置の製造方法の製造工程を説明する図である。
以下の説明においては、表示素子集合体作製治具および疑似平面表示素子には基準点を設け、基準面との間で点接触して位置決めする方法について説明をするが、基準点を設けることに代えて基準面をのみを形成した表示素子集合体作製治具、疑似平面表示素子を用いて製造しても良い。
図１０（Ａ）に示すように、表示素子集合体作製治具３０の４個所の単位平面表示素子の載置位置のうち、載置位置３１−１に、疑似平面表示素子３７ａの基準面３８ａを表示素子集合体作製治具３０に設けた基準点３５ａ，３５ｂに点接触させるとともに、基準面３８ｂを表示素子集合体作製治具に設けた基準点３５ａに点接触させた状態で、減圧手段（図示しない）に接続された開閉弁２３ａを操作して、疑似平面表示素子３７ａを吸着して固定する。
【００５３】
次いで、図１０（Ｂ）に示すように、表示素子集合体作製治具３０の載置位置３１−２に対して、疑似平面表示素子３７ｂの基準面３８ａを表示素子集合体作製治具３０の基準点３５ｃ、３５ｄに点接触させるとともに、基準面３８ｂを疑似平面表示素子３７ａの基準点３９ａに接触させて位置決めさせた後に、同様に減圧手段（図示しない）に接続された開閉弁２３ｂを操作して、疑似平面表示素子３８ｂを吸着して固定する。
同様に、載置位置３１−３についても、載置位置３１−２と同様に疑似平面表示素子３７ｃを載置して、減圧手段（図示しない）に接続された開閉弁２３ｃを操作して、疑似平面表示素子３７ｃを吸着して固定する。
【００５４】
図１１は、本発明の平面表示装置の製造方法の製造工程を説明する図である。
図１０に示した工程において、最後の一個所の載置位置３１−４を残して疑似平面表示素子３７ａないし３７ｃを載置して固定した後に、図１１（Ａ）に示すように、先に固着した疑似平面表示素子に設けた基準点３９ａ，３９ｂおよび３９ｃによって、単位平面表示素子２の側面のうちの基準面を位置決めした後に、減圧手段（図示しない）に接続された開閉弁２３ｄを操作して、単位平面表示素子２を吸着して固定する。
【００５５】
次いで、図１１（Ｂ）に示すように、開放弁２３ｃを操作して、載置位置３１−３に載置した疑似平面表示素子３７ｃの吸着状態を解除して疑似平面表示素子３７ｃを単位平面表示素子２に交換した後に、疑似平面表示素子３７ａの基準点３９ｂ，３９ｃおよび表示素子集合体作製治具３０の基準点３６ｂによって単位平面表示素子２を位置決めした後に、再度開放弁２３ｃを操作して単位平面表示素子２を吸着固定する。
【００５６】
図１２は、本発明の平面表示装置の製造方法の製造工程を説明する図である。
図１２（Ａ）に示すように、図１１（Ｂ）に示したものと同様にして、載置位置３１−２の疑似平面表示素子３７ｂを単位平面表示素子２に交換した後に、吸引して単位平面表示素子２を固着する。
次いで、図１２（Ｂ）に示すように、すべての単位平面表示素子を表示素子集合体作製治具３０に吸着して固着した状態として、各単位平面表示素子に保持板を載置して保持板と各単位平面表示素子とを結合する等の方法によって、各単位平面表示素子を一体化した平面表示素子集合体を作製する。
【００５７】
図１３は、本発明の平面表示装置の製造方法の製造工程を説明する図である。
図１３（Ａ）は、保持板の取り付け方法を説明する図であり、図１３（Ｂ）は、保持板を取り付けた表示素子集合体を説明する図であり、また図１３（Ｃ）は、図１３（Ｂ）におけるＡ−Ａ’線での断面を説明する図である。
図１２（Ｂ）に示したように、表示素子集合体作製治具３０のすべての載置位置３１−１ないし３１−４に単位平面表示素子２に取り付けて吸引して固着した後に、表示素子集合体作製治具３０の直交する一組の基準部３４−１および３４−２に保持板基準治具２５を装着する。
【００５８】
保持板６を保持板基準治具２５に形成した直交する二面からなる基準部２６により位置あわせを行った状態で、保持板を単位平面表示素子２に設けた結合部材８に保持板６を取り付けた後に開閉弁２３ａないし２３ｄを切り替えて取り外すことによって、平面表示素子集合体２Ｕの外周の直交する二面と位置あわせを行った内側基準部として機能する保持板６を有する平面表示素子集合体を得ることができる。
【００５９】
各単位平面表示素子２は、表示素子集合体作製治具３０に吸着して保持された状態で、結合部材８が表示素子集合体保持板６Ｕと結合されたので、各単位平面表示素子の表面は、同一平面上に位置しているとともに、各単位平面表示素子は、基準部に対して等しく配置されたものとすることができる。また、表示素子集合体保持板には、表示駆動回路を設けても良く、そのようにすることによって表示駆動回路から各平面表示素子への配線を短縮することが可能となる。
【００６０】
図１３においては表示素子集合体保持板には、基準面を設けたものを例に挙げて説明をしたが、基準点を設けたものの場合にも同様に表示素子集合体保持板を取り付けることができる。
【００６１】
また、本発明の平面表示装置に使用する平面表示素子としては、プラズマ表示素子、液晶表示素子、発光ダイオード表示素子、有機ＥＬ表示素子、無機ＥＬ表示素子、電界効果型表示素子等の各種の平面表示素子を用いた平面表示装置に適用することができる。
また、本発明の平面表示装置においては、各単位平面表示素子の高精度の位置決めが可能となるので、表示画素ピッチが小さな高精細表示用の単位平面表示素子を高精度に位置決めすることができるので、高精細表示用の平面表示装置を提供することができる。
【００６２】
【発明の効果】
本発明の平面表示装置は、多数の平面表示素子を配置して大型の平面表示装置とする際に、全ての単位平面表示素子の外周部の直交する側面に位置する一組の外周基準部、もしくは外周部よりも内側に位置し直交する面と接触する一組の内側基準部は、いずれも同一の方向に配置されるとともに、外周基準部および内側基準部は、平面表示装置に設けた単位平面表示素子の架台に直交する位置に配置された架台側基準部と接触して位置決めされたので、単位平面表示素子の端面あるいは相互の間隔を規定する方法に比べて確実に高精度に配置することができるので、各単位表示素子間の境界を視認できないような表示画像が優れた平面表示装置を得ることができる。
【図面の簡単な説明】
【図１】図１は、本発明の平面表示装置の一実施例を説明する図である。
【図２】図２は、本発明の平面表示装置の他の実施例を説明する図である。
【図３】図３は、本発明の平面表示装置の他の実施例を説明する図である。
【図４】図４は、本発明の平面表示装置の他の実施例を説明する図である。
【図５】図５は、架台側基準部の位置決めに用いる位置決め手段を説明する図である。
【図６】図６は、本発明の平面表示装置の他の実施例を説明する図である。
【図７】図７は、本発明の平面表示装置の他の実施例を説明する図である。
【図８】図８は、単位平面表示素子への保持板の取り付け方法の一例を説明する図である。
【図９】図９は、複数個の単位平面表示素子が一体化された表示素子集合体の製造方法の一例を説明する図である。
【図１０】図１０は、本発明の平面表示装置の製造方法の製造工程を説明する図である。
【図１１】図１１は、本発明の平面表示装置の製造方法の製造工程を説明する図である。
【図１２】図１２は、本発明の平面表示装置の製造方法の製造工程を説明する図である。
【図１３】図１３は、本発明の平面表示装置の製造方法の製造工程を説明する図である。
【符号の説明】
１…平面表示装置、２，２ａ〜２ｄ，２−１〜２−２５…単位表示素子、２Ｕ…表示素子集合体、３…架台、４…架台側基準部、４ａ，４ａ−１，４ａ−２，４ｂ，４ｂ−１，４ｂ−２，４ｃ−１，４ｃ−２…架台側基準面、４ｘ，４ｙ，４ｚ、４ｘ−１，４ｙ−１，４ｚ−１，４ｘ−２，４ｙ−２，４ｚ−２…架台側基準点、５…外周基準部、５ａ，５ｂ…外周基準面、６…保持板、６Ｕ…表示素子集合体保持板、７…内側基準部、７ａ，７ｂ…内側基準面、８…結合部材、１１…位置決め手段、１２ａ，１２ｂ…外側基準面、１３ａ，１３ｂ…内側基準面、１４ｂ…内側基準面、２０…保持板取り付け治具、２１…基準部、２１ａ，２１ｂ，２１ｃ…基準点、２２…吸引口、２３，２３ａ，２３ｂ，２３ｃ，２３ｄ…開閉弁、２４…接続管路、２５…保持板基準治具、２６…基準部、３０…表示素子集合体作製治具、３１−１〜３１−４…単位平面表示素子の載置位置、３２−１〜３２−４…吸引口、３３−１〜３３−４…接続管路、３４−１〜３４−４…基準部、３５ａ，３５ｂ，３５ｃ，３５ｄ…基準点、３６ａ，３６ｂ…基準点、３７，３７ａ〜３７ｃ…疑似平面表示素子、３８ａ，３８ｂ…基準面、３９ａ，３９ｂ，３９ｃ…基準点
【図１】
2004264323.tif 000003
【図２】
2004264323.tif 000004
【図３】
2004264323.tif 000005
【図４】
2004264323.tif 000006
【図５】
2004264323.tif 000007
【図６】
2004264323.tif 000008
【図７】
2004264323.tif 000009
【図８】
2004264323.tif 000010
【図９】
2004264323.tif 000011
【図１０】
2004264323.tif 000012
【図１１】
2004264323.tif 000013
【図１２】
2004264323.tif 000014
【図１３】
2004264323.tif 000015